(57)【特許請求の範囲】
【請求項１】
受信された表示されるフレームの各画素のＲＧＢ画像信号を対応するＲＧ/ＢＹ画像信号にそれぞれ転換すること、
表示パネルの各画素における副画素の配列方式及び表示されるフレームの各画素に対応する前記ＲＧ/ＢＹ画像信号に基づいて、前記表示パネルの各画素における副画素に対応する画像信号を特定すること、
特定された前記表示パネルの各画素における副画素に対応する画像信号を前記表示パネルに送信し表示を行うことを含む画像の表示方法であって、
前記表示パネルにおいて、２×２画素からなる各繰返しグループがＢ副画素とＹ副画素からなる２つの画素及びＲ副画素とＧ副画素からなる２つの画素を含み、そして左右或いは上下に隣接した画素に含まれる副画素が互いに異なり、
前記受信された表示されるフレームの各画素のＲＧＢ画像信号を、対応するＲＧ/ＢＹ画像信号にそれぞれ転換し、
前記方法は下記の公式によって前記ＲＧ/ＢＹ画像信号を算出し、
R_O = R，G_O = G，B_O = B，Y_O = min(R，G)
ただし、Ｒ：受信された表示されるフレームの各画素のＲ画像信号値であり、Ｇ：受信された表示されるフレームの各画素のＧ画像信号値であり、Ｂ：受信された表示されるフレームの各画素のＢ画像信号値であり、Ｒ_Ｏ：転換後の各画素のＲ画像信号値であり、Ｇ_Ｏ：転換後の各画素のＧ画像信号値であり、Ｂ_Ｏ：転換後の各画素のＢ画像信号値であり、Ｙ_Ｏ：転換後の各画素のＹ画像信号値であり、
前記表示パネルの各画素において、２つの副画素が横方向に配列され、前記表示されるフレームの各画素に対応する前記ＲＧ/ＢＹ画像信号により、前記表示パネルの各画素における副画素に対応する画像信号を特定し、
各繰返しグループのＲ副画素とＧ副画素からなる画素において、Ｒ副画素に対応する画像信号が、対応する転換後の表示されるフレームにおける画素のＲ画像信号に等しく、Ｇ副画素に対応する画像信号が、対応する転換後の表示されるフレームにおける画素のＧ画像信号に等しく、
各繰返しグループのＢ副画素とＹ副画素からなる画素において、Ｙ副画素に対応する画像信号が、対応する転換後の表示されるフレームにおける画素のＹ画像信号に等しく、Ｂ副画素に対応する画像信号が、対応する転換後の表示されるフレームにおける画素のＢ画像信号と、前記繰返しグループにおいて該画素と左右に隣接した１つの画素に対応する表示されるフレームにおける元画素の前記ＲＧＢ画像信号におけるＢ画像信号との混合値に等しい、
画像の表示方法。
【請求項２】
受信された表示されるフレームの各画素のＲＧＢ画像信号を対応するＲＧ/ＢＹ画像信号にそれぞれ転換すること、
表示パネルの各画素における副画素の配列方式及び表示されるフレームの各画素に対応する前記ＲＧ/ＢＹ画像信号に基づいて、前記表示パネルの各画素における副画素に対応する画像信号を特定すること、
特定された前記表示パネルの各画素における副画素に対応する画像信号を前記表示パネルに送信し表示を行うことを含む画像の表示方法であって、
前記表示パネルにおいて、２×２画素からなる各繰返しグループがＢ副画素とＹ副画素からなる２つの画素及びＲ副画素とＧ副画素からなる２つの画素を含み、そして左右或いは上下に隣接した画素に含まれる副画素が互いに異なり、
前記受信された表示されるフレームの各画素のＲＧＢ画像信号を、対応するＲＧ/ＢＹ画像信号にそれぞれ転換し、
前記方法は下記の公式によって前記ＲＧ/ＢＹ画像信号を算出し、
R_O = R，G_O = G，B_O = B，Y_O = min(R，G)
ただし、Ｒ：受信された表示されるフレームの各画素のＲ画像信号値であり、Ｇ：受信された表示されるフレームの各画素のＧ画像信号値であり、Ｂ：受信された表示されるフレームの各画素のＢ画像信号値であり、Ｒ_Ｏ：転換後の各画素のＲ画像信号値であり、Ｇ_Ｏ：転換後の各画素のＧ画像信号値であり、Ｂ_Ｏ：転換後の各画素のＢ画像信号値であり、Ｙ_Ｏ：転換後の各画素のＹ画像信号値であり、
前記表示パネルの各画素において、２つの副画素が対角線方向に配列され、前記表示されるフレームの各画素に対応する前記ＲＧ/ＢＹ画像信号により、前記表示パネルの各画素における副画素に対応する画像信号を特定し、
各繰返しグループのＲ副画素とＧ副画素からなる画素において、Ｇ副画素に対応する画像信号が、対応する転換後の表示されるフレームにおける画素のＧ画像信号に等しく、Ｒ副画素に対応する画像信号が、対応する転換後の表示されるフレームにおける画素のＲ画像信号と、前記繰返しグループにおいて該画素と左右に隣接した１つの画素に対応する表示されるフレームにおける元画素の前記ＲＧＢ画像信号におけるＲ画像信号との混合値に等しく、
各繰返しグループのＢ副画素とＹ副画素からなる画素において、Ｙ副画素に対応する画像信号が、対応する転換後の表示されるフレームにおける画素のＹ画像信号に等しく、Ｂ副画素に対応する画像信号が、対応する転換後の表示されるフレームにおける画素のＢ画像信号と、前記繰返しグループにおいて該画素と左右に隣接した１つの画素に対応する表示されるフレームにおける元画素の前記ＲＧＢ画像信号におけるＢ画像信号との混合値に等しい、
画像の表示方法。
【請求項３】
表示パネルと駆動装置を含む表示装置であって、
前記表示パネルには、２×２画素からなる各繰返しグループが、Ｂ副画素とＹ副画素からなる２つの画素及びＲ副画素とＧ副画素からなる２つの画素を含み、かつ左右或いは上下に隣接した画素に含まれる副画素が互いに異なり、
前記駆動装置は、
表示されるフレームの各画素のＲＧＢ画像信号を受信するための受信手段と、
受信された表示されるフレームの各画素のＲＧＢ画像信号を、対応するＲＧ/ＢＹ画像信号にそれぞれ転換するための転換手段と、
表示パネルの各画素における副画素の配列方式で、表示されるフレームの各画素に対応する前記ＲＧ/ＢＹ画像信号に基づき、前記表示パネルの各画素における副画素に対応する画像信号を特定するための特定手段と、
特定された前記表示パネルの各画素における副画素に対応する画像信号を前記表示パネルに送信し表示を行うための送信手段とを含み、
前記転換手段が具体的に以下公式によって前記ＲＧ/ＢＹ画像信号を算出し、
R_O = R，G_O = G，B_O = B，Y_O = min(R，G)
ただし、Ｒ：受信された表示されるフレームの各画素のＲ画像信号値であり、Ｇ：受信された表示されるフレームの各画素のＧ画像信号値であり、Ｂ：受信された表示されるフレームの各画素のＢ画像信号値であり、Ｒ_Ｏ：転換後の各画素のＲ画像信号値であり、Ｇ_Ｏ：転換後の各画素のＧ画像信号値であり、Ｂ_Ｏ：転換後の各画素のＢ画像信号値であり、Ｙ_Ｏ：転換後の各画素のＹ画像信号値であり、
前記表示パネルの各画素において、２つの副画素が横方向に配列され、前記特定手段が以下により、前記表示パネルの各画素における副画素に対応する画像信号を特定し、即ち、
各繰返しグループのＲ副画素とＧ副画素からなる画素において、Ｒ副画素に対応する画像信号が、対応する転換後の表示されるフレームにおける画素のＲ画像信号に等しく、Ｇ副画素に対応する画像信号が、対応する転換後の表示されるフレームにおける画素のＧ画像信号に等しく、
各繰返しグループのＢ副画素とＹ副画素からなる画素において、Ｙ副画素に対応する画像信号が、対応する転換後の表示されるフレームにおける画素のＹ画像信号に等しく、Ｂ副画素に対応する画像信号が、対応する転換後の表示されるフレームにおける画素のＢ画像信号と、前記繰返しグループにおいて該画素と左右に隣接した１つの画素に対応する表示されるフレームにおける元画素のＲＧＢ画像信号におけるＢ画像信号との混合値に等しい、
表示装置。
【請求項４】
表示パネルと駆動装置を含む表示装置であって、
前記表示パネルには、２×２画素からなる各繰返しグループが、Ｂ副画素とＹ副画素からなる２つの画素及びＲ副画素とＧ副画素からなる２つの画素を含み、かつ左右或いは上下に隣接した画素に含まれる副画素が互いに異なり、
前記駆動装置は、
表示されるフレームの各画素のＲＧＢ画像信号を受信するための受信手段と、
受信された表示されるフレームの各画素のＲＧＢ画像信号を、対応するＲＧ/ＢＹ画像信号にそれぞれ転換するための転換手段と、
表示パネルの各画素における副画素の配列方式で、表示されるフレームの各画素に対応する前記ＲＧ/ＢＹ画像信号に基づき、前記表示パネルの各画素における副画素に対応する画像信号を特定するための特定手段と、
特定された前記表示パネルの各画素における副画素に対応する画像信号を前記表示パネルに送信し表示を行うための送信手段とを含み、
前記転換手段が具体的に以下公式によって前記ＲＧ/ＢＹ画像信号を算出し、
R_O = R，G_O = G，B_O = B，Y_O = min(R，G)
ただし、Ｒ：受信された表示されるフレームの各画素のＲ画像信号値であり、Ｇ：受信された表示されるフレームの各画素のＧ画像信号値であり、Ｂ：受信された表示されるフレームの各画素のＢ画像信号値であり、Ｒ_Ｏ：転換後の各画素のＲ画像信号値であり、Ｇ_Ｏ：転換後の各画素のＧ画像信号値であり、Ｂ_Ｏ：転換後の各画素のＢ画像信号値であり、Ｙ_Ｏ：転換後の各画素のＹ画像信号値であり、
前記表示パネルの各画素において、２つの副画素が対角線方向に配列され、前記特定手段が以下により、前記表示パネルの各画素における副画素に対応する画像信号を特定し、即ち、
各繰返しグループのＲ副画素とＧ副画素からなる画素において、Ｇ副画素に対応する画像信号が、対応する転換後の表示されるフレームにおける画素のＧ画像信号に等しく、Ｒ副画素に対応する画像信号が、対応する転換後の表示されるフレームにおける画素のＲ画像信号と、前記繰返しグループにおいて該画素と左右に隣接した１つの画素に対応する表示されるフレームにおける元画素の前記ＲＧＢ画像信号におけるＲ画像信号との混合値に等しく、
各繰返しグループのＢ副画素とＹ副画素からなる画素において、Ｙ副画素に対応する画像信号が、対応する転換後の表示されるフレームにおける画素のＹ画像信号に等しく、Ｂ副画素に対応する画像信号が、対応する転換後の表示されるフレームにおける画素のＢ画像信号と、前記繰返しグループにおいて該画素と左右に隣接した１つの画素に対応する表示されるフレームにおける元画素の前記ＲＧＢ画像信号におけるＢ画像信号との混合値に等しい、
表示装置。
【発明の詳細な説明】
【技術分野】
【０００１】
本発明は表示技術分野に関し、特に画像の表示方法及び表示装置に関する。
【背景技術】
【０００２】
従来の発光ダイオード（Light Emitting Diode，LED）ディスプレイ、有機発光ダイオード（Organic Light Emitting Diode，OLED）ディスプレイ、プラズマディスプレイパネル(Plasma Display Panel, PDP)及び液晶ディスプレイ（Liquid Crystal Display, LCD）などのフラットパネルディスプレイにおいて、図１に示すように、マトリクス状に配列された色が異なる複数の副画素が設置される。一般的に、色が異なる３つの副画素は1つの画素を構成し（図１の太線で示すように）、そのうち、３つの色がそれぞれ赤色（Ｒ）、緑色（Ｇ）と青色（Ｂ）である。または、色が異なる４つ或いは４つ以上の副画素は１つの画素を構成する。フラットパネルディスプレイにおける各画素は色が異なる３つの副画素を含む場合、１フレームの表示時間内に、各画素における各副画素にＲＧＢ信号を入力すれば、フラットパネルディスプレイは画素の寸法に決められた解像度に応じて画像の表示を行う。
【０００３】
現在、フラットパネルディスプレイの表示画像の解像度に対する要求が高まるに伴い、一般的に、画素寸法を小さくする方式でフラットパネルディスプレイの表示画像の解像度を高める。しかし、画素寸法が小さくなるに伴い、フラットパネルディスプレイの製造プロセスが益々難しくなる。従って、単一に画素寸法を減少し続けることにより、フラットパネルディスプレイの表示画像の解像度を高めることができなく、フラットパネルディスプレイの表示画像の解像度を高めるための新しい方法を求める必要がある。
【０００４】
従って、如何にして正常的な表示を確保した上で、フラットパネルディスプレイの表示画像の解像度を効果的に高めるかというのは、当業者が今すぐ解決しなければならない技術課題である。
【発明の概要】
【発明が解決しようとする課題】
【０００５】
以上により、本発明の実施例は正常的な表示を確保した上で、フラットパネルディスプレの表示画像の解像度を効果的に高めるための画像の表示方法及び表示装置を提供した。
【課題を解決するための手段】
【０００６】
従って、本発明の実施例は画像の表示方法を提供した。該表示方法は以下を含む。
【０００７】
受信された表示されるフレームの各画素のＲＧＢ画像信号を対応するＲＧ/ＢＹ画像信号にそれぞれ転換する；
表示パネルの各画素における副画素の配列方式で、表示されるフレームの各画素に対応する前記ＲＧ/ＢＹ画像信号に基づき、前記表示パネルの各画素における副画素に対応する画像信号を確定し、そのうち、表示パネルにおいて、２*２画素で繰返しグループを構成する。各繰返しグループはＢ副画素とＹ副画素からなる２つの画素及びＲ副画素とＧ副画素からなる２つの画素を含む。そして、左右或いは上下に隣接した画素に含まれる副画素が互いに異なる；
確定された前記表示パネルの各画素における副画素に対応する画像信号を前記表示パネルに送信し表示を行う。
【０００８】
可能な実現方式の一種において、本発明の実施例に提供された前記表示方法において、前記受信された表示されるフレームの各画素のＲＧＢ画像信号を対応するＲＧ/ＢＹ画像信号にそれぞれ転換する。前記方式は以下を含む。
【０００９】
下記公式で前記ＲＧ/ＢＹ画像信号を算出し、
R_O = R，G_O = G，B_O = B，Y_O = min(R，G)；
そのうち、Ｒは受信された表示されるフレームの各画素のＲ画像信号値を表し、Ｇは受信された表示されるフレームの各画素のＧ画像信号値を表し、Ｂは受信された表示されるフレームの各画素のＢ画像信号値を表し、Ｒ_Ｏは転換後の各画素のＲ画像信号値を表し、Ｇ_Ｏは転換後の各画素のＧ画像信号値を表し、Ｂ_Ｏは転換後の各画素のＢ画像信号値を表し、Ｙ_Ｏは転換後の各画素のＹ画像信号値を表する。
【００１０】
可能な実現方式の一種において、本発明の実施例に提供された前記表示方法において、前記表示パネルの各画素において、２つの副画素が横方向あるいは対角線方向に配列される。
【００１１】
可能な実現方式の一種において、本発明の実施例に提供された前記表示方式において、前記表示パネルの各画素において２つの副画素が横方向に配列される場合、前記表示されるフレームの各画素の対応する前記ＲＧ/ＢＹ画像信号により、前記表示パネルの各画素における副画素に対応する画像信号を確定できる。前記方式は以下を含む。
【００１２】
各繰返しグループのＲ副画素とＧ副画素からなる画素において、Ｒ副画素に対応する画像信号は、対応する転換後の表示されるフレームにおける画素のＲ画像信号に等しい。Ｇ副画素に対応する画像信号は、対応する転換後の表示されるフレームにおける画素のＧ画像信号に等しい；
各繰返しグループのＢ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて該画素と左右に隣接した１つの画素に対応する表示されるフレームにおける元画素のＲＧＢ画像信号におけるＢ画像信号との混合値に等しい。
【００１３】
可能な実現方式の一種において、本発明の実施例に提供された前記表示方式において、前記表示パネルの各画素において２つの副画素が対角線方向に配列される場合、前記表示されるフレームの各画素の対応する前記ＲＧ/ＢＹ画像信号により、前記表示パネルの各画素における副画素の対応する画像信号を確定できる。前記方式は以下を含む。
【００１４】
各繰返しグループのＲ副画素とＧ副画素からなる画素において、Ｇ副画素に対応する画像信号は、対応する転換後の表示されるフレームにおける画素のＧ画像信号に等しい。Ｒ副画素に対応する画像信号は、対応する転換後の表示されるフレームにおける画素のＲ画像信号と、前記繰返しグループにおいて該画素と左右に隣接した１つの画素に対応する表示されるフレームにおける元画素のＲＧＢ画像信号におけるＲ画像信号との混合値に等しい；
各繰返しグループのＢ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて該画素と左右に隣接した１つの画素に対応する表示されるフレームにおける元画素のＲＧＢ画像信号におけるＢ画像信号との混合値に等しい。
【００１５】
本発明の実施例は更に、表示パネルと駆動装置を含む表示装置を提供した。
【００１６】
前記表示パネルにおいて、２*２画素で繰返しグループを構成し、各繰返しグループは、Ｂ副画素とＹ副画素からなる２つの画素及びＲ副画素とＧ副画素からなる２つの画素を含み、そして、左右或いは上下に隣接した画素に含まれる副画素が互いに異なる。
【００１７】
前記駆動装置が、
表示されるフレームの各画素のＲＧＢ画像信号を受信するための受信手段と、
受信された表示されるフレームの各画素のＲＧＢ画像信号を対応するＲＧ/ＢＹ画像信号にそれぞれ転換するための転換手段と、
表示パネルの各画素における副画素の配列方式で、表示されるフレームの各画素に対応する前記ＲＧ/ＢＹ画像信号に基づき、前記表示パネルの各画素における副画素に対応する画像信号を確定するための確定手段と、
確定された前記表示パネルの各画素における副画素に対応する画像信号を前記表示パネルに送信し表示を行うための送信手段とを含む。
【００１８】
可能な実現方式の一種において、本発明の実施例に提供された前記表示装置において、前記転換手段は具体的に、下記公式で前記ＲＧ/ＢＹ画像信号を算出することに用いられる。
【００１９】
R_O = R，G_O = G，B_O = B，Y_O = min(R，G)；
【００２０】
そのうち、Ｒは受信された表示されるフレームの各画素のＲ画像信号値を表し、Ｇは受信された表示されるフレームの各画素のＧ画像信号値を表し、Ｂは受信された表示されるフレームの各画素のＢ画像信号値を表し、Ｒ_Ｏは転換後の各画素のＲ画像信号値を表し、Ｇ_Ｏは転換後の各画素のＧ画像信号値を表し、Ｂ_Ｏは転換後の各画素のＢ画像信号値を表し、Ｙ_Ｏは転換後の各画素のＹ画像信号値を表する。
【００２１】
可能な実現方式の一種において、本発明の実施例に提供された前記表示装置において、前記表示パネルの各画素において、２つの副画素が横方向あるいは対角線方向に配列される。
【００２２】
可能な実現方式の一種において、本発明の実施例に提供された前記表示装置において、前記表示パネルの各画素において、２つの副画素が横方向に配列される場合、前記確定手段は以下により、前記表示パネルの各画素における副画素に対応する画像信号を確定する。即ち、各繰返しグループのＲ副画素とＧ副画素からなる画素において、Ｒ副画素に対応する画像信号は、対応する転換後の表示されるフレームにおける画素のＲ画像信号に等しい。Ｇ副画素に対応する画像信号は、対応する転換後の表示されるフレームにおける画素のＧ画像信号に等しい；
各繰返しグループのＢ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて、該画素と左右に隣接した１つの画素に対応する表示されるフレームにおける元画素のＲＧＢ画像信号におけるＢ画像信号との混合値に等しい。
【００２３】
可能な実現方式の一種において、本発明の実施例に提供された前記表示装置において、前記表示パネルの各画素において、２つの副画素が対角線方向に配列される場合、前記確定手段は以下により、前記表示パネルの各画素における副画素に対応する画像信号を確定する。即ち、各繰返しグループのＲ副画素とＧ副画素からなる画素において、Ｇ副画素に対応する画像信号は、対応する転換後の表示されるフレームにおける画素のＧ画像信号に等しい。Ｒ副画素に対応する画像信号は、対応する転換後の表示されるフレームにおける画素のＲ画像信号と、前記繰返しグループにおいて、該画素と左右に隣接した1つの画素に対応する表示されるフレームにおける元画素のＲＧＢ画像信号におけるＲ画像信号との混合値に等しい；
各繰返しグループのＲ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて、該画素と左右に隣接した１つの画素に対応する表示されるフレームにおける元画素のＲＧＢ画像信号におけるＢ画像信号との混合値に等しい。
【発明の効果】
【００２４】
本発明の実施例の有益効果は以下を含む。
【００２５】
本発明の実施例に提供された前記画像の表示方法及び表示装置は、ヘリングの反対色説に基づき、ＲＧとＢＹの４色で夫々２つの画素を構成する。そして、表示パネルにおいて２*２画素で繰返しグループを構成し、各繰返しグループはＢ副画素とＹ副画素からなる２つの画素及びＲ副画素とＧ副画素からなる２つの画素を含む。そして、左右或いは上下に隣接した画素に含まれる副画素が互いに異なる。前記方式は、従来の３つ或いは３つ以上の副画素で１つの画素を構成するという配列方式に対し、各画素における副画素の数を減少し、同じ製造の精度で表示画像の解像度を高めることができる。そして、受信された表示されるフレームの各画素のＲＧＢ画像信号を対応するＲＧ/ＢＹ画像信号にそれぞれ転換した後、表示パネルの各画素における副画素の配列方式で、表示されるフレームの各画素に対応するＲＧ/ＢＹ画像信号に基づき、表示パネルの各画素における副画素に対応する画像信号を確定した後、表示を行うことで、画像の正常的な表示を保証し、表示されるフレームの画像をよりよく復元することができる。
【図面の簡単な説明】
【００２６】
【図１】図1は、従来のフラットパネルディスプレイにおける各副画素の配列の概略図である。
【図２】図２は、本発明の実施例に提供された画像の表示方法のフローチャートである。
【図３ａ】図３ａは、本発明の実施例に提供された表示パネルにおける画素の配列の概略図の一である。
【図３ｂ】図３ｂは、本発明の実施例に提供された表示パネルにおける画素の配列の概略図の二である。
【図４ａ】図４aは、図３aに示す画素の配列が現像する際の黒と白のラインの詳細画像である。
【図４ｂ】図４ｂは、図３ｂに示す画素の配列が現像する際の黒と白のラインの詳細画像である。
【図５】図５は、本発明の実施例に提供された表示装置の構造の指示図である。
【発明を実施するための形態】
【００２７】
以下は、添付図を結合しながら、本発明の実施例に提供された画像の表示方式と表示装置の具体的な実施形態について、詳細に説明する。
【００２８】
本発明の実施例に提供された画像の表示方法は、図２に示すように、以下を含む。
【００２９】
受信された表示されるフレームの各画素のＲＧＢ画像信号を対応するＲＧ/ＢＹ画像信号にそれぞれ転換するＳ２０１、
表示パネルの各画素における副画素の配列方式で、受信された表示されるフレームの各画素に対応するＲＧ/ＢＹ画像信号に基づき、表示パネルの各画素における副画素に対応する画像信号を確定するＳ２０２、
そのうち、表示パネルにおいて、２*２画素で繰返しグループを構成し、各繰返しグループはＢ副画素とＹ副画素からなる２つの画素及びＲ副画素とＧ副画素からなる２つの画素を含む。そして、左右或いは上下に隣接した画素に含まれる副画素が互いに異なり、
確定された表示パネルの各画素における副画素に対応する画像信号を表示パネルに送信し表示を行うＳ２０３。
【００３０】
本発明の実施例に提供された前記画像の表示方法において、ヘリングの反対色説に基づき、ＲＧとＢＹの４色で夫々２つの画素を構成する。そして、表示パネルにおいて２*２画素で繰返しグループを構成し、各繰返しグループはＢ副画素とＹ副画素からなる２つの画素及びＲ副画素とＧ副画素からなる２つの画素を含む。そして、左右或いは上下に隣接した画素に含まれる副画素が互いに異なる。前記方式は、従来の３つ或いは３つ以上の副画素で１つの画素を構成するという配列方式に対し、各画素における副画素の数を減少し、同じ製造の精度で表示画像の解像度を高めることができる。そして、受信された表示されるフレームの各画素のＲＧＢ画像信号を対応するＲＧ/ＢＹ画像信号にそれぞれ転換した後、表示パネルの各画素における副画素の配列方式で、表示されるフレームの各画素に対応するＲＧ/ＢＹ画像信号に基づき、表示パネルの各画素における副画素に対応する画像信号を確定した後、表示を行うことで、画像の正常的な表示を保証し、表示されるフレームの画像をよりよく復元することができる。
【００３１】
具体的に実施するとき、本発明の実施例に提供された前記表示方法において、受信された表示されるフレームの各画素のＲＧＢ画像信号において、黄色（Ｙ）画像信号が直接に含まれないため、ステップＳ２０１を実行し、受信された表示されるフレームの各画素のＲＧＢ画像信号を対応するＲＧ/ＢＹ画像信号にそれぞれ転換するとき、具体的にＲ画像信号とＧ画像信号の間の最小値をＹ画像信号とし、Ｙ画像信号で比較的に小さな輝度値の有するＲ画像信号又はＧ画像信号を償うことにより、表示の輝度を高める。本実施例において、２つのＲＧＢ画像信号で１つのＲＧ/ＢＹ画像信号を得ることができる。即ち、そのうち、１つのＲＧＢ画像信号がＲＧ画像信号を生成し、もう１つのＲＧＢ画像信号がＢＹ画像信号を生成する。そして、以下の公式でＲＧ/ＢＹ画像信号を算出できる。
【００３２】
R_O = R，G_O = G，B_O = B，Y_O = min(R，G)；そのうち、Ｒは受信された表示されるフレームの各画素のＲ画像信号値を表し、Ｇは受信された表示されるフレームの各画素のＧ画像信号値を表し、Ｂは受信された表示されるフレームの各画素のＢ画像信号値を表し、Ｒ_Ｏは転換後の各画素のＲ画像信号値を表し、Ｇ_Ｏは転換後の各画素のＧ画像信号値を表し、Ｂ_Ｏは転換後の各画素のＢ画像信号値を表し、Ｙ_Ｏは転換後の各画素のＹ画像信号値を表する。
【００３３】
具体的に実施するとき、本発明の実施例に提供された前記表示方法において、表示パネルの各画像における副画像の配列方式は、具体的に２種類ある。１つは、図３ａに示すように、各画素における２つの副画素が横方向に配列されることであり、もう１つは、図３ｂに示すように、各画素における２つの副画素が対角線に配列されることである。そのうち、対角線に配列されるよう設置される副画素は、横方向に配列される副画素の画素構造に対し、同じ水平線にある副画素の数が相対的に小さいため、製造するとき、ファインメタルマスク（FMM，Fine Metal Mask）に対する要求を下げられ、生産製造に役立てる。即ち、同じＦＭＭの精度で、図３ｂに示す画像の配列で、より高い解像度の有する表示パネルを製造できる。
【００３４】
注意すべきこととして、図３ａと図３ｂは、２*２画素で構成された繰返しグループのみを示した。各繰返しグループがＢ副画素とＹ副画素からなる２つの画素及びＲ副画素とＧ副画素からなる２つの画素を含み、かつ左右或いは上下に隣接した画素に含まれる副画素が互いに異なるという条件のみ満たせば、各繰返しグループにおける左右２つ画素も、かつ各画素における２つの副画素の相対的な位置も交換できる。
【００３５】
そして、本発明の実施例に提供された前記表示方法は具体的に実施されるとき、有機発光ダイオード（Organic Light Emitting Diode，OLED）ディスプレイにも、液晶ディスプレイ（Liquid Crystal Display, LCD）にも用いられる。図３ａと図３ｂは、ＯＬＥＤ表示パネルに用いられるときの画素の配列を、例として説明するものである。これで分かるように、各副画素領域に対応するＲＧ/ＢＹ発光領域は、全ての副画素の領域を満たしていなく、各発光層の発光効率により、ＲＧ/ＢＹ発光領域の面積の大きさを設置できる。一般的には、青色の光が一番弱く、赤色の光がより弱く、緑色の光がより強く、黄色の光が緑色の光の付近で、発光効率が悪いほうの発光領域が大きい。図３ａと図３ｂの未充填部は対応する発光領域の概略図であり、それからわかるように、発光領域の面積の大きさの順序は以下の通りであり、即ち、Ｂ>=Ｒ>Ｙ>=Ｇ。
【００３６】
具体的に実施するとき、本発明の実施例に提供された前記表示方法において、ステップＳ２０２を実行するとき、即ち表示パネルの各画素における副画素の配列方式で、表示されるフレームの各画素に対応するＲＧ/ＢＹ画像信号に基づき、表示パネルの各画素における副画素に対応する画像信号を確定するとき、各画素における副画素の配列方式により、以下の二種類に分けられる。
【００３７】
一つは、表示パネルの各画素における２つの副画素が、図3ａに示すように、横方向に配列される場合に、
【００３８】
各繰返しグループのＲ副画素とＧ副画素からなる画素において、Ｒ副画素に対応する画像信号は対応する転換後の表示されるフレームにおける画素のＲ画像信号に等しく、Ｇ副画素に対応する画像信号は対応する転換後の表示されるフレームにおける画素のＧ画像信号に等しい；
各繰返しグループのＢ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて、該画素と左右に隣接した１つの画素に対応する表示されるフレームにおける元画素のＲＧＢ画像信号におけるＢ画像信号との混合値に等しい。例えば、混合値は平均値である。即ち、表示パネルの各画素において、２つの副画素が図3ａに示すように横方向に配列される場合に、Ｂ画像信号のみは、その位置する画素におけるＢ画像信号と該画素に隣接した1つの画素に対応する元画素におけるＢ画像信号が、同時に作用することにより得られる。
【００３９】
表示されるフレームの画像はＭ*Ｎ個のＲＧＢ画素からなると仮定すると、1つのＲＧＢ画像信号により1つのＲＧ画像信号或いは1つのＢＹ画像信号が得られる。従って、転換後、Ｍ*Ｎ個のＲＧＢ画素に対応し、表示パネルにおいて、Ｍ*Ｎ/２のＲＧ画素とＭ*Ｎ/２のＢＹ画素がある。そして、表示パネル及び表示されるフレームの画像をｉ*ｊ個の繰返しグループに分けて構成してもよい。各繰返しグループには２*２の画素がある。
【００４０】
図３ａにおいて、座標が（i1，j1）と（i2，j2）である画素におけるＲ副画素に対応する画像信号R_P(i1,j1)とR_P(i2,j2)は、対応する転換後の表示されるフレームにおける画素のＲ画像信号R_O(i1,j1)とR_O(i2,j2)にそれぞれ等しい。即ち、R_P(i1,j1)=R_O(i1,j1)，R_P(i2,j2)=R_O(i2,j2)。
【００４１】
図３ａにおいて、座標が（i1，j1）と（i2，j2）である画素におけるＧ副画素に対応する画像信号G_P(i1,j1)とG_P(i2,j2)は、対応する転換後の表示されるフレームにおける画素のＧ画像信号G_O(i1,j1)とG_O(i2,j2)にそれぞれ等しい。即ち、G_P(i1,j1)=G_O(i1,j1)，G_P(i2,j2)=G_O(i2,j2)。
【００４２】
図３ａにおいて、座標が（i1，j2）と（i2，j1）である画素におけるＹ副画素に対応する画像信号Y_P(i1,j2)とY_P(i2,j1)は、対応する転換後の表示されるフレームにおける画素のＹ画像信号Y_O(i1,j2)とY_O(i2,j1)にそれぞれ等しい。即ち、Y_P(i1,j2)=Y_O(i1,j2)，Y_P(i2,j1)=Y_O(i2,j1)。
【００４３】
図３ａにおいて、座標が（i1，j2）である画素におけるＢ副画素に対応する画像信号B_P(i1,j2)は、対応する転換後の表示されるフレームにおける画素のＢ画像信号B_O(i1,j2)と、隣接した画素ＲＧに対応する元画素のRGB画像信号におけるＢ画像信号B(i1,j1)との平均値に等しい。即ち、B_P(i1,j2)=(B(i1,j1)+B_O(i1,j2))/2。座標が（i2，j1）である画素におけるＢ副画素に対応する画像信号B_P(i2,j1)は、対応する転換後の表示されるフレームにおける画素のＢ画像信号B_O(i2,j1)と、隣接した画素ＲＧに対応する元画素のRGB画像信号におけるＢ画像信号B(i2,j2)との平均値に等しい。即ち、B_P(i2,j1)=(B_O(i2,j1)+B(i2,j2))/2。
【００４４】
つまり、表示パネルの各画素における2つの副画素が横方向に配列される場合に、表示パネルの各画素における副画素に対応する画像信号を確定するとき、二つの状況がある。一つは、副画素に対応する画像信号は、対応する転換後の表示されるフレームにおける相応な副画素の画像信号に等しい。即ち、入力は直接に出力に等しい。例えば、Ｒ、ＧとＹ副画素である。もう一つは、副画素に対応する画像信号は、対応する転換後の表示されるフレームにおける相応な副画素の画像信号と、前記繰返しグループにおいて該画素に隣接した1つの画素に対応する元画素における相応な副画素の画像信号との混合値に等しい。即ち、入力された相応な副画素の画像信号と、繰返しグループにおいて該画素に隣接した1つの画素に対応する元画素における対応する色の副画素とにカラーマッチングを行った後、副画素に対応する画像信号を得る。例えば、Ｂ副画素である。
【００４５】
図３ａに示された画素の配列に複雑な画面の表示を行うことからわかるように、その表示効果は依然として観賞のニーズを満たすことができる。黒と白のラインの試験から分かるように、図４ａに示すように、黒と白のラインの詳細は依然として、解像度を保証できる。
【００４６】
もう一つは、表示パネルの各画素において、２つの副画素が図3ｂに示すように対角線方向に配列される場合に、
【００４７】
各繰返しグループのＲ副画素とＧ副画素からなる画素において、Ｇ副画素に対応する画像信号は、対応する転換後の表示されるフレームにおける画素のＧ画像信号に等しい。Ｒ副画素に対応する画像信号は、対応する転換後の表示されるフレームにおける画素のＲ画像信号と、前記繰返しグループにおいて該画素と左右に隣接した１つの画素に対応する表示されるフレームにおける元画素のＲＧＢ画像信号におけるＢ画像信号との混合値に等しい。例えば、混合値は平均値である；
各繰返しグループのＢ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて該画素と左右に隣接した１つの画素に対応する表示されるフレームにおける元画素のＲＧＢ画像信号におけるＢ画像信号との混合値に等しい。例えば、混合値は平均値である。即ち、表示パネルの各画素において２つの副画素が図3ｂに示すように対角線方向に配列される場合、Ｂ画像信号とＲ画像信号は、いずれもその位置する画素におけるＢ画像信号或いはＲ画像信号と、該画素に隣接した画素に対応する元画素におけるＢ画像信号或いはＲ画像信号が同時に作用することにより得られる。
【００４８】
表示されるフレームの画像はＭ*Ｎ個のＲＧＢ画素からなると仮定すると、1つのＲＧＢ画像信号により1つのＲＧ画像信号或いは1つのＢＹ画像信号が得られる。従って、転換後、Ｍ*Ｎ個のＲＧ/ＢＹ画素に対応し、表示パネルにおいて、Ｍ*Ｎ/２のＲＧ画素とＭ*Ｎ/２のＢＹ画素がある。そして、表示パネル及び表示されるフレームの画像をｉ*ｊ個の繰返しグループに分けて構成してもよい。各繰返しグループには２*２の画素がある。
【００４９】
図３ｂにおいて、座標が（i1，j1）である画素におけるＲ副画素に対応する画像信号R_P(i1,j1)は、対応する転換後の表示されるフレームにおける画素のＲ画像信号R_O(i1,j1)と、隣接した画素ＢＹに対応する元画素のＲＧＢ画像信号におけるＲ画像信号R(i2,j1)との平均値に等しい。即ち、R_P(i1,j1) = (R_O(i1,j1)+R(i1,j2))/2。座標が（i2，j2）である画素におけるＲ副画素に対応する画像信号R_P(i2,j2)は、対応する転換後の表示されるフレームにおける画素のＲ画像信号R_O(i2,j2)と、隣接した画素ＢＹに対応する元画素のＲＧＢ画像信号におけるＲ画像信号R(i2,j1)との平均値に等しい。即ち、R_P(i2,j2) = (R(i2,j1)+R_O(i2,j2))/2。
【００５０】
図３ｂにおいて、座標が（i1，j1）と（i2，j2）である画素におけるＧ副画素に対応する画像信号G_P(i1,j1)とG_P(i2,j2)は、対応する転換後の表示されるフレームにおける画素のＧ画像信号G_O(i1,j1)とG_O(i2,j2)にそれぞれ等しい。即ち、G_P(i1,j1)=G_O(i1,j1)，G_P(i2,j2)=G_O(i2,j2)。
【００５１】
図３ｂにおいて、座標が（i1，j2）と（i2，j1）である画素におけるＹ副画素に対応する画像信号Y_P(i1,j2)とY_P(i2,j1)は、対応する転換後の表示されるフレームにおける画素のＹ画像信号Y_O(i1,j2)とY_O(i2,j1)にそれぞれ等しい。即ち、Y_P(i1,j2)=Y_O(i1,j2)；Y_P(i2,j1)=Y_O(i2,j1)。
【００５２】
図３ｂにおいて、座標が（i1，j2）である画素におけるＢ副画素に対応する画像信号B_P(i1,j2)は、対応する転換後の表示されるフレームにおける画素のＢ画像信号B_O(i1,j2)と、隣接した画素ＲＧに対応する元画素のＲＧＢ画像信号におけるＢ画像信号B(i1,j1)との平均値に等しい。即ち、B_P(i1,j2)=(B(i1,j1)+B_O(i1,j2))/2。座標が（i2，j1）である画素におけるＢ副画素に対応する画像信号B_P(i2,j1)は、対応する転換後の表示されるフレームにおける画素のＢ画像信号B_O(i2,j1)と、隣接した画素ＲＧに対応する元画素のRGB画像信号におけるＢ画像信号B(i2,j2)との平均値に等しい。即ち、B_P(i2,j1)=(B_O(i2,j1)+B(i2,j2))/2。
【００５３】
つまり、表示パネルの各画素における2つの副画素が対角線方向に配列される場合に、表示パネルの各画素における副画素に対応する画像信号を確定するとき、二つの状況がある。一つは、副画素に対応する画像信号は、対応する転換後の表示されるフレームにおける相応な副画素の画像信号に等しい。即ち、入力は直接に出力に等しい。例えば、ＧとＹ副画素である。もう一つは、副画素に対応する画像信号は、対応する転換後の表示されるフレームにおける相応な副画素の画像信号と、前記繰返しグループにおいて該画素に隣接した画素に対応する元画素における対応する副画素の画像信号との混合値に等しい。即ち、入力された相応な副画素の画像信号と、繰返しグループにおいて該画素に隣接した1つの画素に対応する元画素における相応な色の副画素とにカラーマッチングを行った後、副画素に対応する画像信号を得る。例えば、ＲとＢ副画素である。
【００５４】
図３ｂに示された画素の配列に複雑な画面の表示を行うことからわかるように、その表示効果は依然として観賞のニーズを満たすことができる。また、黒と白のラインの試験から分かるように、図４ｂに示すように、黒と白のラインの詳細は依然として、解像度を保証できる。
【００５５】
同じ発明の構想に基づき、本発明の実施例は更に画像の表示装置を提供した。該装置の課題を解決する原理が前記画像の表示方法に類似するため、該装置の実施は方法の実施に参照すればいい。同じ内容を繰り返さないことにする。
【００５６】
本発明の実施例は更に表示装置を提供した。図5に示すように、該表示装置は表示パネル５１と駆動装置５２を備える。その中に、
表示パネル51において、２*２画素で繰返しグループを構成し、各繰返しグループはＢ副画素とＹ副画素からなる２つの画素及びＲ副画素とＧ副画素からなる２つの画素を含み、かつ左右或いは上下に隣接した画素に含まれる副画素が互いに異なる；
駆動装置５２が、
表示されるフレームの各画素のＲＧＢ画像信号を受信するための受信手段５２１と、
受信された表示されるフレームの各画素のＲＧＢ画像信号を対応するＲＧ/ＢＹ画像信号にそれぞれ転換するための転換手段５２２と、
表示パネルの各画素における副画素の配列方式で、表示されるフレームの各画素に対応する前記ＲＧ/ＢＹ画像信号に基づき、表示パネルの各画素における副画素に対応する画像信号を確定するための確定手段５２３と、
確定された表示パネルの各画素における副画素に対応する画像信号を表示パネルに送信し表示を行うための送信手段５２４と、を備える。
具体的に実施するとき、本発明の実施例に提供された前記表示装置における転換手段５２２は、具体的に下記公式により前記ＲＧ/ＢＹ画像信号を算出することに用いられ、
R_O = R，G_O = G，B_O = B，Y_O = min(R，G)；
その中に、Ｒは受信された表示されるフレームの各画素のＲ画像信号値を表し、Ｇは受信された表示されるフレームの各画素のＧ画像信号値を表し、Ｂは受信された表示されるフレームの各画素のＢ画像信号値を表し、Ｒ_Ｏは転換後の各画素のＲ画像信号値を表し、Ｇ_Ｏは転換後の各画素のＧ画像信号値を表し、Ｂ_Ｏは転換後の各画素のＢ画像信号値を表し、Ｙ_Ｏは転換後の各画素のＹ画像信号値を表する。
【００５７】
具体的に実施するとき、本発明の実施例に提供された前記表示装置において、表示パネル５１の各画素において、２つの副画素が横方向或いは対角線方向に配列される。
【００５８】
具体的に実施するとき、本発明の実施例に提供された前記表示装置において、表示パネル５１の各画素において２つの副画素が横方向に配列される場合、確定手段５２３は以下により、表示パネルの各画素における副画素に対応する画像信号を確定する。即ち、各繰返しグループのＲ副画素とＧ副画素からなる画素において、Ｒ副画素に対応する画像信号は、対応する転換後の表示されるフレームにおける画素のＲ画像信号に等しい。Ｇ副画素に対応する画像信号が対応する転換後の表示されるフレームにおける画素のＧ画像信号に等しい；
各繰返しグループのＢ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて該画素と左右に隣接した１つの画素に対応する表示されるフレームにおける元画素のＲＧＢ画像信号におけるＢ画像信号との混合値に等しい。
【００５９】
具体的に実施するとき、本発明の実施例に提供された前記表示装置において、表示パネル５１の各画素において２つの副画素が対角線方向に配列される場合、確定手段５２３は以下により、表示パネルの各画素における副画素に対応する画像信号を確定する。各繰返しグループのＲ副画素とＧ副画素からなる画素において、Ｇ副画素に対応する画像信号は、対応する転換後の表示されるフレームにおける画素のＧ画像信号に等しい。Ｒ副画素に対応する画像信号は、対応する転換後の表示されるフレームにおける画素のＲ画像信号と、前記繰返しグループにおいて該画素と左右に隣接した1つの画素に対応する表示されるフレームにおいて元画素のＲＧＢ画像信号におけるＲ画像信号との混合値に等しい。
【００６０】
各繰返しグループのＲ副画素とＹ副画素からなる画素において、Ｙ副画素に対応する画像信号は、対応する転換後の表示されるフレームにおける画素のＹ画像信号に等しい。Ｂ副画素に対応する画像信号は、対応する転換後の表示されるフレームにおける画素のＢ画像信号と、前記繰返しグループにおいて該画素と左右に隣接した１つの画素に対応する表示されるフレームにおける元画素のＲＧＢ画像信号におけるＢ画像信号との混合値に等しい。
【００６１】
以上の実施形態の説明により、当業者は、本発明の実施例が、ハードウェア、或いは、ソフトウェア及び必要な通用するハードウェアプラットフォームの方式により実現できることをはっきり了解できる。このような理解に基づき、本発明の実施例の技術案は、ソフトウェア製品の形式で示されてもよい。該ソフトウェア製品は、不揮発性記憶媒体（ＣＤ-ＲＯＭ、Ｕディスク，モバイルハードディスク）に記憶すればよい。一つのコンピューター機器（パソコン、サーバー或いはネットワーク装置等）により本発明の各実施例に記載の方法を実行するための幾つかの命令が含まれる。
【００６２】
当業者は以下に理解してもよい。即ち、添付図が好ましい実施例の概略図に過ぎなく、添付図におけるモジュール或いはプロセスが、必ずしも本発明を実施するための必要的なものとは限らない。
【００６３】
実施例における装置のモジュールが、実施例の記載に従って実施例の装置に配置されてもよい、本実施例と異なった１つ或いは複数の装置に位置されるように対応的に変化してもよい；前記実施例のモジュールが、１つのモジュールに合併されてもよい、更に複数のサブモジュールに分割さればよいことを、当業者は理解できる。
【００６４】
前記本発明の実施例の番号は説明のためだけである。実施例の優劣に係わらない。
【００６５】
また、説明しなければならないこととして、本文に言及される「左右」と「上下」という用語は、固定の方向或いは位置決めの制限のためではない。「左右」と「上下」は異なる参考方向に対するものである。例えば、横座標の「左右」は、縦座標の「上下」に対応でき、縦座標の「上下」も、横座標の「左右」に対応できる。
【００６６】
本発明の実施例に提供された前記画像の表示方法及び表示装置は、ヘリングの反対色説に基づき、ＲＧとＢＹの４色でそれぞれ２つの画素を構成する。そして、表示パネルにおいて２*２画素で繰返しグループを構成し、各繰返しグループはＢ副画素とＹ副画素からなる２つの画素及びＲ副画素とＧ副画素からなる２つの画素を含む。そして、左右或いは上下に隣接した画素に含まれる副画素が互いに異なる。前記方式は、従来の３つ或いは３つ以上の副画素で１つの画素を構成するという配列方式に対し、各画素における副画素の数を減少し、同じ製造の精度で表示画像の解像度を高めることができる。そして、受信された表示されるフレームの各画素のＲＧＢ画像信号を、対応するＲＧ/ＢＹ画像信号にそれぞれ転換した後、表示パネルの各画素における副画素の配列方式で、表示されるフレームの各画素に対応するＲＧ/ＢＹ画像信号に基づき、表示パネルの各画素における副画素に対応する画像信号を確定した後、表示を行うことで、画像の正常的な表示を保証し、表示されるフレームの画像をよりよく復元することができる。
【００６７】
明らかに、当業者は、本発明の精神と範囲を脱せずに、本発明に各種の変更と変形を行うことができる。このように、たとえ本発明のこれらの補正と変形が、本発明の請求項及びその同一技術の範囲に属すれば、本発明もこれらの変更と変形を含むようにする。
【符号の説明】
【００６８】
５１  表示パネル
５２  駆動装置
５２１  受信手段
５２２  転換手段
５２３  確定手段
５２４  送信手段
【図１】
0006657229.tif 000002
【図２】
0006657229.tif 000003
【図３ａ】
0006657229.tif 000004
【図３ｂ】
0006657229.tif 000005
【図４ａ】
0006657229.tif 000006
【図４ｂ】
0006657229.tif 000007
【図５】
0006657229.tif 000008